(57)【要約】  【課題】プリチャージ電源が不要な簡単な構成のプリチャージ回路を有するディスプレイ装置を提供する。  【解決手段】ソースドライバ５が複数のソースバス３を駆動する前に、プリチャージ回路７が複数のソースバス３をプリチャージする。プリチャージ回路７において、プリチャージライン１１ａ、１１ｂは、プリチャージ時に複数のソースバス３に接続される。プリチャージ制御スイッチ１５ａ、１５ｂは、プリチャージキャパシタ１３ａ、１３ｂを電源９ａ、９ｂとプリチャージライン１１ａ、１１ｂへ交互に接続する。電源９ａ、９ｂへの接続によりプリチャージキャパシタ１３ａ、１３ｂがチャージされる。プリチャージライン１１ａ、１１ｂへの接続により、プリチャージキャパシタ１３ａ、１３ｂを用いて複数のソースバス３がプリチャージされる。【選択図】  図２
2008281913.tif 000002
【特許請求の範囲】
【請求項１】
複数のソースバスと、
前記複数のソースバスに接続されるソースドライバと、
前記複数のソースバスへ電力を供給する少なくとも一の電源と、
前記複数のソースバスをプリチャージするプリチャージ回路と、
を備え、
前記プリチャージ回路は、プリチャージ時に前記複数のソースバスに接続される少なくとも一のプリチャージラインと、少なくとも一のプリチャージキャパシタと、前記少なくとも一のプリチャージキャパシタを前記少なくとも一の電源と前記少なくとも一のプリチャージラインへ交互に接続する少なくとも一のプリチャージ制御スイッチと、を備えることを特徴とするディスプレイ装置。
【請求項２】
前記少なくとも一の電源として反転駆動用の第１、第２電源を有し、
前記プリチャージ回路は、前記少なくとも一のプリチャージラインとしての第１、第２プリチャージラインと、前記少なくとも一のプリチャージキャパシタとしての第１、第２プリチャージキャパシタと、前記少なくとも一のプリチャージ制御スイッチとしての第１、第２プリチャージ制御スイッチとを有し、前記第１、第２プリチャージ制御スイッチが前記第１、第２プリチャージキャパシタを前記第１、第２電源と前記第１、第２プリチャージラインへそれぞれ交互に接続することを特徴とする請求項１に記載のディスプレイ装置。
【請求項３】
プリチャージ時に前記複数のソースバスを前記第１、第２プリチャージラインと交互に接続する複数のラインスイッチを有することを特徴とする請求項２に記載のディスプレイ装置。
【請求項４】
前記第１、第２プリチャージキャパシタの容量は、電源電圧と、目標プリチャージ電圧と、前記複数のソースバスの残留チャージ量とに基づいて、前記第１、第２プリチャージキャパシタと前記複数のソースバスによって前記プリチャージキャパシタのチャージ量と前記複数のソースバスの残留チャージ量とのチャージシェアが行われて前記複数のソースバスのソースバス電圧が前記目標プリチャージ電圧になるように設定されていることを特徴とする請求項２に記載のディスプレイ装置。
【請求項５】
前記第１、第２のプリチャージ制御スイッチが前記第１、第２のプリチャージキャパシタを前記第１、第２のプリチャージラインに接続する前に前記第１、第２のプリチャージラインをそれぞれグランドに接続する第１、第２のグランドスイッチを有することを特徴とする請求項２に記載のディスプレイ装置。
【請求項６】
複数のソースバスと、前記複数のソースバスに接続されるソースドライバと、前記複数のソースバスへ電力を供給する少なくとも一の電源とを備えるディスプレイ装置に設けられ、前記複数のソースバスをプリチャージするプリチャージ回路であって、
プリチャージ時に前記複数のソースバスに接続される少なくとも一のプリチャージラインと、
少なくとも一のプリチャージキャパシタと、
前記少なくとも一のプリチャージキャパシタを前記少なくとも一の電源と前記少なくとも一のプリチャージラインへ交互に接続する少なくとも一のプリチャージ制御スイッチと、
を備えることを特徴とするプリチャージ回路。
【請求項７】
請求項１ないし６のいずれかに記載のディスプレイ装置を有する電子装置であって、携帯電話、パーソナルデジタルアシスタント（ＰＤＡ）、ノートブックパソコン、カーナビゲーション装置、テレビ、デジタルスティルカメラ（ＤＳＣ）及び液晶ディスプレイ装置からなる群より選ばれる電子装置。
【発明の詳細な説明】
【技術分野】
【０００１】
本発明は、ソースバスに接続されるプリチャージ回路を備えたディスプレイ装置に関する。
【背景技術】
【０００２】
液晶ディスプレイ装置においては、多数のソースバスがソースドライバに接続されている。そして、ソースドライバからこれらソースバスを介して、表示領域の多数の画素へと表示すべき画像に応じたデータ信号が供給される。
【０００３】
このようなディスプレイ装置においては、従来より、プリチャージ回路が利用されている。プリチャージ回路は、データ信号の供給前のタイミングでソースバスにプリチャージを行うように構成される。プリチャージ電圧は、データ信号の電圧より小さい中間値に設定される。
【０００４】
図１は、従来のプリチャージ回路を備えたディスプレイ装置を示している。ディスプレイ装置１は、複数のソースバス１０３、ソースドライバ１０５およびプリチャージ回路１０７を備えている。
【０００５】
複数のソースバス１０３は液晶パネルの表示領域へ延びており、各ソースバス１０３に沿って多数の画素が配置されている。ソースドライバ１０５は、極性が反対の１対の電源１０９ａ、１０９ｂに接続され、これにより、ソースドライバ１０５は、複数のソースバス１０３へと交互に極性が反転するデータ信号を供給し、ドット反転駆動を行う。
【０００６】
プリチャージ回路１０７においては、１対のプリチャージライン１１１ａ、１１１ｂが、図示のように、交互にスイッチＳＷ１、ＳＷ２を介して複数のソースバス１０３に接続される。プリチャージライン１１１ａ、１１１ｂは、極性が反対の１対のプリチャージ電源１１３ａ、１１３ｂにそれぞれ接続されている。プリチャージ電源１１３ａ、１１３ｂの電圧は、ソースドライバ１０５の電源１０９ａ、１０９ｂの電圧より小さい中間値に設定されている。この電圧がプリチャージ電圧に相当する。図の例では、電源１０９ａ、１０９ｂの電圧ＶＤＤ１、ＶＤＤ２が５Ｖ、−５Ｖであるのに対して、プリチャージ電源１１３ａ、１１３ｂの電圧が２．５Ｖ、−２．５Ｖである。
【０００７】
プリチャージ回路１０７は、スイッチＳＷ１、ＳＷ２の開閉によって複数のソースバス１０３にプリチャージ電圧を印加してプリチャージを行うように動作する。プリチャージは、ソースドライバ１０５からデータ信号が供給される前に行われる。列（ｒｏｗ、ゲートライン）が変わるたびにスイッチＳＷ１、ＳＷ２のオンオフが切り替わり、すなわち、ある列では第１スイッチＳＷ１がオンし、次の列では第２スイッチＳＷ２がオンする。これにより、プリチャージ電圧の極性が、ソースバス毎、列毎に切り替わり、ドット反転駆動に対応したプリチャージが行われる。
【０００８】
以上に典型的なプリチャージ回路１０７を備えた従来のディスプレイ装置１０１について説明した。上述したように、従来のディスプレイ装置では、プリチャージ回路１０７が、専用のプリチャージ電源１１３ａ、１１３ｂを備えている。そのため、電源供給システムが複雑になり、サイズも大きくなるという問題がある。
【０００９】
別の従来技術（特許文献１参照）は、プリチャージ回路を、ソースバス毎に設けられた単位プリチャージ回路により実現しており、単位プリチャージ回路は、コンデンサおよび４つのスイッチで構成され、基準電圧を供給する共通電極に接続される。この場合、プリチャージ電源は設けなくてもよい反面、ソースバス毎にコンデンサ等が必要であり、構成が複雑化する。
【特許文献１】特開２００５−３１２０２号公報
【発明の開示】
【発明が解決しようとする課題】
【００１０】
本発明は、従来の問題を解決するためになされたもので、その目的は、付加的なプリチャージ電源が不要な簡単な構成のプリチャージ回路を有するディスプレイ装置を提供することにある。
【００１１】
本発明の一の目的は、プリチャージ電源を不要にしつつ、プリチャージ電圧の精度を向上できるディスプレイ装置を提供をすることにある。
【課題を解決するための手段】
【００１２】
本発明の一態様において、ディスプレイ装置は、複数のソースバスと、前記複数のソースバスに接続されるソースドライバと、前記複数のソースバスへ電力を供給する少なくとも一の電源と、前記複数のソースバスをプリチャージするプリチャージ回路と、を備え、前記プリチャージ回路は、プリチャージ時に前記複数のソースバスに接続される少なくとも一のプリチャージラインと、少なくとも一のプリチャージキャパシタと、前記少なくとも一のプリチャージキャパシタを前記少なくとも一の電源と前記少なくとも一のプリチャージラインへ交互に接続する少なくとも一のプリチャージ制御スイッチと、を備える。
【００１３】
前記少なくとも一のプリチャージ制御スイッチは、前記少なくとも一のプリチャージキャパシタを前記少なくとも一の電源と接続して前記少なくとも一のプリチャージキャパシタをチャージし、チャージされた前記少なくとも一のプリチャージキャパシタを前記少なくとも一のプリチャージラインと接続して前記複数のソースバスをプリチャージしてよい。
【００１４】
ディスプレイ装置は、前記少なくとも一の電源として反転駆動用の第１、第２電源を有してよく、前記プリチャージ回路は、前記少なくとも一のプリチャージラインとしての第１、第２プリチャージラインと、前記少なくとも一のプリチャージキャパシタとしての第１、第２プリチャージキャパシタと、前記少なくとも一のプリチャージ制御スイッチとしての第１、第２プリチャージ制御スイッチとを有してよく、前記第１、第２プリチャージ制御スイッチが前記第１、第２プリチャージキャパシタを前記第１、第２電源と前記第１、第２プリチャージラインへそれぞれ交互に接続してよい。
【００１５】
本発明の別の態様は、プリチャージ回路であって、複数のソースバスと、前記複数のソースバスに接続されるソースドライバと、前記複数のソースバスへ電力を供給する少なくとも一の電源とを備えるディスプレイ装置に設けられ、前記複数のソースバスをプリチャージするプリチャージ回路であり、プリチャージ時に前記複数のソースバスに接続される少なくとも一のプリチャージラインと、少なくとも一のプリチャージキャパシタと、前記少なくとも一のプリチャージキャパシタを前記少なくとも一の電源と前記少なくとも一のプリチャージラインへ交互に接続する少なくとも一のプリチャージ制御スイッチと、を備える。
【００１６】
また、本発明の別の態様は、上述のディスプレイ装置を有する電子装置であって、携帯電話、パーソナルデジタルアシスタント（ＰＤＡ）、ノートブックパソコン、カーナビゲーション装置、テレビ、デジタルスティルカメラ（ＤＳＣ）及び液晶ディスプレイ装置からなる群より選ばれる電子装置である。
【発明の効果】
【００１７】
本発明では、プリチャージ回路がプリチャージキャパシタとプリチャージ制御スイッチを備え、ソースドライバの電源を利用してプリチャージキャパシタをチャージし、チャージされたプリチャージキャパシタを使って複数のソースバスをプリチャージする。このようにして、付加的なプリチャージ電源が不要な簡単な構成のプリチャージ回路を有するディスプレイ装置を提供することができる。
【発明を実施するための最良の形態】
【００１８】
以下に本発明の詳細な説明を述べる。ただし、以下の詳細な説明と添付の図面は発明を限定するものではない。代わりに、発明の範囲は添付の請求の範囲により規定される。
【００１９】
「第１の実施の形態」
図２は、本実施の形態のディスプレイ装置を示している。ディスプレイ装置１は、複数のソースバス３、ソースドライバ５およびプリチャージ回路７を備えている。
【００２０】
複数のソースバス３は液晶パネルの表示領域へ延びており、各ソースバス３に沿って多数の画素が配置されている。各ソースバス３には、表示部の複数の画素に対応する一つのキャパシタが接続されていると考えることができる。このキャパシタの容量（キャパシタンス）を、ソースバス容量Ｃｓｂと呼ぶ。
【００２１】
ソースドライバ５は、さらに上位の制御回路（図示せず）に制御されて、表示すべき画像に応じたデータ信号を複数のソースバス３に供給する回路である。ディスプレイ装置１には、さらに、表示領域の複数のゲートラインを駆動するゲートドライバ（図示せず）が設けられている。表示領域では、複数のゲートラインと複数のソースバスが交差しており、多数の画素がマトリクス状に配置されている。各ゲートラインが順次ゲートドライバにより駆動され、かつ、各ソースバス３がソースドライバ５により駆動されて、これにより画像が表示される。
【００２２】
ソースドライバ５は、極性が反対の１対の電源９ａ、９ｂに接続される。ソースドライバ５は、これら電源９ａ、９ｂから供給される電力を利用し、複数のソースバス３へと交互に極性が反転するデータ信号を供給し、これによりドット反転駆動を行う。図の例では、電源９ａ、９ｂの電圧ＶＤＤ１、ＶＤＤ２がそれぞれ５Ｖ、−５Ｖである。各ソースバスには、０〜５Ｖのデータ信号と、−５〜０Ｖの信号とが交互に入力される。
【００２３】
プリチャージ回路７は、ソースドライバ５の出力側に設けられている。プリチャージ回路７は、図では、ソースドライバ５の外に示されている。ただし、実際の回路構成としては、プリチャージ回路７は、ソースドライバ５の中にて、その一部として設けられた配線、キャパシタおよびスイッチによって構成されてよい。
【００２４】
プリチャージ回路７は、一対のプリチャージライン１１ａ、１１ｂと、一対のプリチャージキャパシタ１３ａ、１３ｂと、それらプリチャージキャパシタ１３ａ、１３ｂを用いたプリチャージを制御する一対のプリチャージ制御スイッチ１５ａ、１５ｂとを有している。
【００２５】
以下、プリチャージライン１１ａ、１１ｂをそれぞれ第１プリチャージライン１１ａおよび第２プリチャージライン１１ｂと呼ぶ。また、プリチャージキャパシタ１３ａ、１３ｂをそれぞれ第１プリチャージキャパシタ１３ａおよび第２プリチャージキャパシタ１３ｂと呼ぶ。また、プリチャージ制御スイッチ１５ａ、１５ｂをそれぞれ第１プリチャージ制御スイッチ１５ａおよび第２プリチャージ制御スイッチ１５ｂと呼ぶ。
【００２６】
プリチャージライン１１ａ、１１ｂは、スイッチＳＷ１、ＳＷ２を介して複数のソースバス３に接続される。スイッチＳＷ１、ＳＷ２は本発明のラインスイッチに相当する。図示のように、各々のプリチャージライン１１ａ、１１ｂは、複数のソースバス３に対して、交互にスイッチＳＷ１、ＳＷ２を介して接続される。また、プリチャージライン１１ａ、１１ｂは、１本のソースバス３に対しては異なるスイッチＳＷ１、ＳＷ２を介して接続される。以下、スイッチＳＷ１、ＳＷ２をそれぞれ第１スイッチＳＷ１および第２スイッチＳＷ２と呼ぶ。
【００２７】
より詳細には、図示のように、第１プリチャージライン１１ａが、奇数行（odd  column）のソースバス３に第２スイッチＳＷ２を介して接続され、偶数行（even column）のソースバス３に第１スイッチＳＷ１を介して接続される。一方、第２プリチャージライン１１ｂは、奇数行（odd  column)）のソースバス３に第１スイッチＳＷ１を介して接続され、偶数行（even column）のソースバス３に第２スイッチＳＷ２を介して接続される。こうして、上述の交互の接続が実現される。
【００２８】
プリチャージ制御スイッチ１５ａ、１５ｂは、プリチャージキャパシタ１３ａ、１３ｂを、電源９ａ、９ｂとプリチャージライン１１ａ、１１ｂへ選択的に接続する。プリチャージキャパシタ１３ａ、１３ｂと電源９ａ、９ｂの接続により、プリチャージキャパシタ１３ａ、１３ｂがチャージされる。そして、プリチャージキャパシタ１３ａ、１３ｂとプリチャージライン１１ａ、１１ｂの接続により、プリチャージキャパシタ１３ａ、１３ｂにチャージされた電荷がプリチャージライン１１ａ、１１ｂへと提供される。これらの接続は後述するように交互に行われる。
【００２９】
上記のプリチャージ制御スイッチ１５ａ、１５ｂに関連する構成についてより詳細に説明する。プリチャージ回路７は、ライン１７ａ、１７ｂを介して、ソースドライバ５の電源９ａ、９ｂと接続されている。
【００３０】
第１プリチャージキャパシタ１３ａの一方の電極はグランド（接地）に接続されている。第１プリチャージキャパシタ１３ａの他方の電極は、第１プリチャージ制御スイッチ１５ａにより、ライン１７ａと第１プリチャージライン１１ａのいずれかに接続される。第１プリチャージ制御スイッチ１５ａは、ライン１７ａを介した電源９ａへの接続と、第１プリチャージライン１１ａへの接続とを切り替える。
【００３１】
同様に、第２プリチャージキャパシタ１３ｂの一方の電極はグランド（接地）に接続されている。第２プリチャージキャパシタ１３ｂの他方の電極は、第２プリチャージ制御スイッチ１５ｂにより、ライン１７ｂと第２プリチャージライン１１ｂのいずれかに接続される。第２プリチャージ制御スイッチ１５ｂは、ライン１７ｂを介した電源９ｂへの接続と、第２プリチャージライン１１ｂへの接続とを切り替える。
【００３２】
次に、本実施の形態のディスプレイ装置１の動作を説明する。ここでは、主としてプリチャージ動作について説明する。プリチャージ動作の概略としては、プリチャージ状態の前に、プリチャージ制御スイッチ１５ａ、１５ｂがプリチャージキャパシタ１３ａ、１３ｂを電源９ａ、９ｂとそれぞれ接続する。これにより、第１プリチャージキャパシタ１３ａが第１プリチャージ制御スイッチ１５ａを介して電源９ａによりチャージされ、また、第２プリチャージキャパシタ１３ｂが第２プリチャージ制御スイッチ１５ｂを介して電源９ｂによりチャージされる。
【００３３】
次に、プリチャージ状態において、プリチャージ制御スイッチ１５ａ、１５ｂがプリチャージキャパシタ１３ａ、１３ｂをプリチャージライン１１ａ、１１ｂへ接続する。これにより、プリチャージ制御スイッチ１５ａ、１５ｂが、スイッチＳＷ１、ＳＷ２を介して複数のソースバス３と接続される。プリチャージ制御スイッチ１５ａ、１５ｂのチャージ電荷が複数のソースバス３に供給されて、ソースバス電圧（ソースバス３の電圧、以下同じ）がプリチャージ電圧になる。
【００３４】
図３、図４および図５は、上記のプリチャージ動作をより詳細に示している。図３を参照すると、この例では、Ｍ番の列（ｒｏｗ）と、Ｍ＋１番の列が駆動される。列は、ソースバス３と交差するゲートラインに対応する。一方、ソースバス３は行（ｃｏｌｕｍｎ）と対応する。
【００３５】
各列の駆動期間には、ソースドライバ５によるメイン駆動期間の前に、プリチャージ期間が設定されている。メイン駆動期間では、ソースドライバ５から各ソースバス３にデータ信号が供給され、プリチャージ期間ではソースバス３がプリチャージされる。
【００３６】
本実施の形態のディスプレイ装置１は、ドット反転駆動を行う。ドット反転駆動のために、Ｍ番の列では、プリチャージ期間に奇数行がプラスに、偶数行がマイナスにプリチャージされる。また、Ｍ番の列では、メイン駆動期間に、奇数行にプラスのデータ信号が供給され、偶数行にマイナスのデータ信号が供給される。
【００３７】
次のＭ＋１番の列では、プラスとマイナスが反転する。すなわち、Ｍ＋１番の列では、プリチャージ期間に奇数行がマイナスに、偶数行がプラスにプリチャージされる。また、Ｍ＋１番の列では、メイン駆動期間に、奇数行にマイナスのデータ信号が供給され、偶数行にプラスのデータ信号が供給される。
【００３８】
図４は、図３の例の中でＭ番目の列のメイン駆動期間におけるプリチャージ回路７の状態を示している。これは、プリチャージ前の状態に相当する。図示のように、複数のソースバス３にはデータ信号が供給される。ドット反転駆動のため、奇数行にはプラスの電圧が印加され、偶数行にはマイナスの電圧が印加される。
【００３９】
図４においては、全部のスイッチＳＷ１、ＳＷ２がオフであり、プリチャージライン１１ａ、１１ｂがソースバス３から切り離されている。
【００４０】
プリチャージ制御スイッチ１５ａ、１５ｂは、プリチャージキャパシタ１３ａ、１３ｂを電源９ａ、９ｂとそれぞれ接続する。これにより、第１プリチャージキャパシタ１３ａは電源９ａによりチャージされ、第２プリチャージキャパシタ１３ｂは電源９ｂによりチャージされる。第１プリチャージキャパシタ１３ａの電圧は、電源９ａの電圧ＶＤＤ１（５Ｖ）に達し、第２プリチャージキャパシタ１３ｂの電圧は、電源９ｂの電圧ＶＤＤ２（−５Ｖ）に達する。
【００４１】
図５は、図３の中でＭ＋１番目の列のプリチャージ期間におけるプリチャージ回路７の状態を示している。これは、図４でプリチャージキャパシタ１３ａ、１３ｂがチャージされた後のプリチャージ状態に相当する。図示のように、プリチャージ制御スイッチ１５ａ、１５ｂは切り替えられており、第１プリチャージキャパシタ１３ａが第１プリチャージ制御スイッチ１５ａにより第１プリチャージライン１１ａと接続され、第２プリチャージキャパシタ１３ｂが第２プリチャージ制御スイッチ１５ｂにより第２プリチャージライン１１ｂと接続される。また、プリチャージライン１１ａ、１１ｂでは、全部の第１スイッチＳＷ１がオンであり、全部の第２スイッチＳＷ２がオフである。
【００４２】
上記の接続により、第１プリチャージキャパシタ１３ａは、第１プリチャージライン１１ａ、第１スイッチＳＷ１を介して、偶数行のソースバス３と接続される。したがって、偶数行のソースバス３が、プラスにチャージされて、ソースバス電圧がプリチャージ電圧Ｖｐｃ１（＋）になる。第２プリチャージキャパシタ１３ｂは、第２プリチャージライン１１ｂ、第２スイッチＳＷ２を介して、奇数行のソースバス３と接続される。したがって、奇数行のソースバス３が、マイナスにチャージされて、ソースバス電圧がプリチャージ電圧Ｖｐｃ２（−）になる。
【００４３】
上記のプリチャージでは、プリチャージキャパシタ１３ａ、１３ｂと複数のソースバス３によりチャージシェアが行われる。図５の場合、第１プリチャージキャパシタ１３ａのチャージ電荷と、偶数行の全部のソースバス３の残留チャージ電荷との総量が、それら第１プリチャージキャパシタ１３ａおよび偶数行のソースバス３に分配される。残留チャージ電荷は、ソースドライバ５による駆動で残った電荷である。分配の比率は、第１プリチャージキャパシタ１３ａの容量と、各ソースバス３の容量により決まる。このチャージシェアの結果、偶数行の電圧が図示のチャージ電圧Ｖｐｃ１（プラス）になる。
【００４４】
同様に、第２プリチャージキャパシタ１３ｂのチャージ電荷と、奇数行の全部のソースバス３の残留チャージ電荷との総量が、それら第２プリチャージキャパシタ１３ｂおよび奇数行のソースバス３に分配される。分配の比率は、第２プリチャージキャパシタ１３ｂの容量と、各ソースバス３の容量により決まる。このチャージシェアの結果、奇数行の電圧が図示のチャージ電圧Ｖｐｃ２（マイナス）になる。
【００４５】
以上のようにして、プリチャージが行われる。上記の例では、Ｍ＋１番の列のプリチャージ期間に第１スイッチＳＷ１がオンであり、第２スイッチＳＷ２がオフであった。次の列のプリチャージでは、オンオフが逆であり、第１スイッチＳＷ１がオフで、第２スイッチＳＷ２がオンになる。このように、スイッチＳＷ１、ＳＷ２のオンオフは、列毎に交互に入れ替わる。この切替により、プリチャージ電圧のプラスマイナスが、列毎および行毎に入れ替わり、ドット反転駆動に適合したプリチャージが行われる。
【００４６】
次に、上記のプリチャージ動作により得られるプリチャージ電圧Ｖｐｃ１、Ｖｐｃ２を計算する。ここでは、図５の例を用いて、プリチャージ電圧Ｖｐｃ１を計算する。第１プリチャージキャパシタ１３ａに関連するプリチャージ前後のチャージ電荷量は下式で表される。
【００４７】
C1・VDD1＋Csb・V2＋Csb・V4＋Csb・V6＋・・・Csb・Vn
＝（C1＋n/2・Csb）・Vpc1
【００４８】
Ｃ１は、第１プリチャージキャパシタ１３ａの容量である。ＶＤＤ１は、電源９ａの電圧である。Ｃｓｂは、各行（ソースバス３）のソースバス容量である。Ｖiは、プリチャージ前の駆動によるi番目の行のソースバス電圧である。ｎは、表示パネルの行数（ソースバス３の本数）である。
【００４９】
上の式において、左辺は、プリチャージ前の電荷の総量であり、具体的には、第１プリチャージキャパシタ１３ａの電荷と、偶数行の電荷の和でる。図５の例では偶数行のソースバス３が第１プリチャージキャパシタ１３ａと接続されるので、偶数行の電荷が計算される。右辺は、プリチャージ後の電荷の総量である。
【００５０】
ここで、Ｖ２＝Ｖ４＝Ｖ６＝・・・・＝Ｖｎ＝Ｖａと仮定する。この場合、上記の式が変形されて、Ｖｐｃ１は以下のように表される。
【００５１】
Vpc1 ＝｛ C1 ／ (C1＋n/2・Csb) ｝・VDD1
＋｛ (n/2・Csb) ／ (C1＋n/2・Csb) ｝・Va
【００５２】
仮に、Ｃ１＝７．９ｎＦ、Ｃｓｂ＝１０ｐＦ、ｎ＝７２０、ＶＤＤ１＝５Ｖ、Ｖａ＝−３Ｖとすると、Ｖｐｃ１＝２．４９６Ｖである。
【００５３】
プリチャージ電圧Ｖｐｃ２も同様に計算される。第２プリチャージキャパシタ１３ｂに関連するプリチャージ前後のチャージ電荷量は下式で表される。
【００５４】
C2・VDD2＋Csb・V1＋Csb・V3＋Csb・V5＋・・・Csb・Vn-1
＝（C2＋n/2・Csb）・Vpc2
【００５５】
Ｃ２は、第２プリチャージキャパシタ１３ｂの容量である。ＶＤＤ２は、電源９ｂの電圧である。Ｃｓｂは、各行（ソースバス３）のソースバス容量である。Ｖiは、プリチャージ前の駆動によるi番目の行のソースバス電圧である。ｎは、表示パネルの行数（ソースバス３の本数）である。
【００５６】
上の式において、左辺は、プリチャージ前の電荷の総量であり、具体的には、第１プリチャージキャパシタ１３ａの電荷と、奇数行の電荷の和でる。図５の例では奇数行のソースバス３が第２プリチャージキャパシタ１３ｂと接続されるので、奇数行の電荷が計算される。右辺は、プリチャージ後の電荷の総量である。
【００５７】
ここで、Ｖ１＝Ｖ３＝Ｖ５＝・・・・＝Ｖｎ−１＝Ｖｂと仮定する。この場合、上記の式が変形されて、Ｖｐｃ２は以下のように表される。
【００５８】
Vpc2 ＝｛ C2 ／ (C2＋n/2・Csb) ｝・VDD2
＋｛ (n/2・Csb) ／ (C2＋n/2・Csb) ｝・Vb
【００５９】
仮に、Ｃ２＝７．９ｎＦ、Ｃｓｂ＝１０ｐＦ、ｎ＝７２０、ＶＤＤ２＝−５Ｖ、Ｖｂ＝３Ｖとすると、Ｖｐｃ２＝−２．４９６Ｖである。
【００６０】
以上のようにして、プリチャージ電圧Ｖｐｃ１、Ｖｐｃ２が計算される。上記の計算では、チャージシェアが行われるので、プリチャージＶｐｃ１、Ｖｐｃ２は、プリチャージキャパシタ１３ａ、１３ｂの容量Ｃ１、Ｃ２と、電源電圧ＶＤＤ１、ＶＤＤ２と、ソースバス３の残留チャージ電荷から決まる（残留チャージ電荷は、ソースバス電圧とソースバス容量Ｃｓｂから決まる）。
【００６１】
このことを利用し、本実施の形態では、プリチャージキャパシタ１３ａ、１３ｂの容量Ｃ１、Ｃ２が好適に設定される。容量Ｃ１、Ｃ２の設定のため、まず先に、目標プリチャージ電圧Ｖｐｃ１、Ｖｐｃ２が設定される。そして、プリチャージキャパシタ１３ａ、１３ｂの容量が逆算され、上記の例のように、Ｃ１＝Ｃ２＝７．９ｎＦに好適に設定される。このようにして、本実施の形態では、プリチャージキャパシタ１３ａ、１３ｂの容量を適切に設定し、これにより、目標のプリチャージ電圧を適切に得ることができる。
【００６２】
なお、上記の計算では、プリチャージ前の各ソースバス３の電圧が一律にＶａ、Ｖｂであると仮定されており、これにより、各ソースバス３の残留チャージ電荷がＶａ・Ｃｓｂ、Ｖｂ・Ｃｓｂであると仮定されている。Ｖａ、Ｖｂとしては平均的な値を用いることが好適である。
【００６３】
「第２の実施の形態」
次に、本発明の第２の実施の形態について説明する。
【００６４】
これまで説明した第１の実施の形態では、上記のように、プリチャージ前の各ソースバス３の電圧がＶａ、Ｖｂであると仮定されている。しかし、実際には、プリチャージ前のソースバス電圧は、表示される画像に依存しており、一定でない。そして、ソースバス電圧の大きさに依存して、実際のプリチャージ電位Ｖｐｃ１、Ｖｐｃ２が変化する。この観点では、第１の実施の形態では、プリチャージ電圧が正確に目標値にはならない。
【００６５】
そこで、第２の実施の形態は、以下のような構成により、プリチャージ電圧の精度を向上する。以下の説明では、第１の実施の形態と共通する事項の説明は省略する。
【００６６】
図６は、本実施の形態のディスプレイ装置２１を示している。図２のディスプレイ装置１との相違点として、ディスプレイ装置２１には、第１グランドスイッチ２３ａおよび第２グランドスイッチ２３ｂが追加されている。これら２つのスイッチをまとめて呼ぶときは、グランドスイッチ２３ａ、２３ｂと呼ぶ。
【００６７】
第１グランドスイッチ２３ａの一端は、第１プリチャージ制御スイッチ１５ａとソースバス３の間にて、第１プリチャージライン１１ａに接続されている。そして、第１グランドスイッチ２３ａの他端はグランドに接続されている。これにより、第１グランドスイッチ２３ａは、オン状態のときに、第１プリチャージライン１１ａをグランドと接続する。
【００６８】
同様に、第２グランドスイッチ２３ｂの一端は、第２プリチャージ制御スイッチ１５ｂとソースバス３の間にて、第２プリチャージライン１１ｂに接続されている。そして、第２グランドスイッチ２３ｂの他端はグランドに接続されている。これにより、第２グランドスイッチ２３ｂは、オン状態のときに、第２プリチャージライン１１ｂをグランドと接続する。
【００６９】
次に、本実施の形態のディスプレイ装置２１の動作を説明する。ディスプレイ装置２１は、第１の実施の形態のディスプレイ装置１と同様に動作する。
【００７０】
ただし、第１の実施の形態との相違点として、プリチャージ制御スイッチ１５ａ、１５ｂがプリチャージキャパシタ１３ａ、１３ｂをプリチャージライン１１ａ、１１ｂに接続する前に、グランドスイッチ２３ａ、２３ｂがプリチャージライン１１ａ、１１ｂをそれぞれグランドに接続する。これにより、全部のソースバス３の電圧が０になる。それから、グランドスイッチ２３ａ、２３ｂがオフにされる。続いて、第１の実施の形態と同様に、プリチャージ制御スイッチ１５ａ、１５ｂがプリチャージキャパシタ１３ａ、１３ｂをプリチャージライン１１ａ、１１ｂに接続して、プリチャージが行われる。これにより、プリチャージ前の各ソースバス３の電圧が決まるので、プリチャージ電圧の精度が向上する。
【００７１】
図７〜図１０は、ディスプレイ装置２１の動作をより詳細に示している。図７を参照すると、本実施の形態では、プリチャージ期間として、第１プリチャージ期間と第２プリチャージ期間が設定されている。
【００７２】
図８は、ｍ番目の列のメイン駆動期間におけるプリチャージ回路７の状態を示している。各ソースバス３は、ソースドライバ５により駆動される。プリチャージキャパシタ１３ａ、１３ｂがプリチャージ制御スイッチ１５ａ、１５ｂにより電源９ａ、９ｂと接続され、これによりチャージされる。全部のスイッチＳＷ１、ＳＷ２がオフであり、さらに、グランドスイッチ２３ａ、２３ｂもオフである。
【００７３】
図９は、ｍ＋１番目の列の第１プリチャージ期間におけるプリチャージ回路７の状態を示している。この段階では、プリチャージキャパシタ１３ａ、１３ｂはまだ電源９ａ、９ｂに接続されている。グランドスイッチ２３ａ、２３ｂはオンに切り替わる。第１スイッチＳＷ１、第２スイッチＳＷ２もすべてオンに切り替わる。これにより、全部のソースバス３が接地されて、ソースバス電圧が０になる。
【００７４】
図１０は、ｍ＋１番目の列の第２プリチャージ期間におけるプリチャージ回路７の状態を示している。プリチャージキャパシタ１３ａ、１３ｂは、プリチャージ制御スイッチ１５ａ、１５ｂによってプリチャージライン１１ａ、１１ｂと接続される。グランドスイッチ２３ａ、２３ｂはオフである。そして、全部の第１スイッチＳＷ１がオンであり、全部の第２スイッチＳＷ２がオフである。これによりプリチャージキャパシタ１３ａ、１３ｂの電荷がソースバス３へ移動して、プリチャージが行われる。ソースバス電圧は、プリチャージ電圧Ｖｐｃ１’（＋）、Ｖｐｃ２’（−）になる（第１の実施の形態と区別するために本実施の形態のプリチャージ電圧は、Ｖｐｃ１’、Ｖｐｃ２’と書く）。
【００７５】
次に、上記のプリチャージ動作により得られるプリチャージ電圧Ｖｐｃ１’、Ｖｐｃ２’を計算する。ここでは、図１０の例を用いて、プリチャージ電圧Ｖｐｃ１’を計算する。第１プリチャージキャパシタ１３ａに関連するプリチャージ前後のチャージ電荷量は下式で表される。
【００７６】
C1・VDD1＋Csb・0＋Csb・0＋Csb・0＋・・・Csb・0
＝（C1＋n/2・Csb）・Vpc1'
【００７７】
Ｃ１は、第１プリチャージキャパシタ１３ａの容量である。ＶＤＤ１は、電源９ａの電圧である。ｎは、表示パネルの行数（ソースバス３の本数）である。また、上記の式に示されるように、プリチャージ前のソースバス電圧Ｖｉはすべて０である。これは、第１プリチャージ期間で第１グランドスイッチ２３ａによりソースバス３の放電が行われるからである。上記の式が変形されて、Ｖｐｃ１’は以下のように表される。
【００７８】
Vpc1' ＝｛ C1 ／ (C1＋n/2・Csb) ｝・VDD1
【００７９】
仮に、Ｃ１＝３．６ｎＦ、Ｃｓｂ＝１０ｐＦ、ｎ＝７２０、ＶＤＤ１＝５Ｖとすると、Ｖｐｃ１’＝２．５００Ｖである。
【００８０】
プリチャージ電圧Ｖｐｃ２’も同様に計算される。第２プリチャージキャパシタ１３ｂに関連するプリチャージ前後のチャージ電荷量は下式で表される。
【００８１】
C2・VDD2＋Csb・0＋Csb・0＋Csb・0＋・・・Csb・0
＝（C2＋n/2・Csb）・Vpc2'
【００８２】
Ｃ２は、第２プリチャージキャパシタ１３ｂの容量である。ＶＤＤ２は、電源９ｂの電圧である。ｎは、表示パネルの行数（ソースバス３の本数）である。ここでも、第１プリチャージ期間にソースバス３の放電が行われるので、ソースバス電圧Ｖiはすべて０である。上記の式が変形されて、Ｖｐｃ２’は以下のように表される。
【００８３】
Vpc2' ＝｛ C2 ／ (C2＋n/2・Csb) ｝・VDD2
【００８４】
仮に、Ｃ２＝３．６ｎＦ、Ｃｓｂ＝１０ｐＦ、ｎ＝７２０、ＶＤＤ２＝−５Ｖとすると、Ｖｐｃ２＝−２．５００Ｖである。
【００８５】
上記のように、本実施の形態では、グランドスイッチ２３ａ、２３ｂが設けられ、プリチャージ前にソースバス３の放電が行われる。これにより、プリチャージ電圧Ｖｐｃ１’、Ｖｐｃ２’が、直前の表示画像に応じたソースバス電圧に依存しなくなり、プリチャージ電圧Ｖｐｃ１’、Ｖｐｃ２’の精度が向上する。
【００８６】
また、本実施の形態によれば、プリチャージ前に、ソースバス電圧がグランド（＝０）になる。この電圧０を始点として、プリチャージが行われればよい。したがって、プリチャージのチャージシェアに必要な電荷量が小さくなり、その結果、プリチャージキャパシタ１３ａ、１３ｂの容量を小さくすることができる。
【００８７】
この点について第１の実施の形態と比較して説明する。第１の実施の形態では、プリチャージ前後で、各ソースバス３の電圧の極性が反対である。したがって、プリチャージ前後の電圧差が大きい。このため、チャージシェアのためにプリチャージキャパシタ１３ａ、１３ｂが蓄えるべき電荷が大きくなる。一方、本実施の形態では、上記のように、プリチャージ前のソースバス電圧が０であり、プリチャージ前後のソースバス３の電圧差が小さくなる。これにより、プリチャージキャパシタ１３ａ、１３ｂの蓄えるべき電荷が小さくなり、容量を小さくできる。前出の具体例で比較すると、第１の実施の形態ではプリチャージキャパシタ１３ａ、１３ｂの容量Ｃ１、Ｃ２が７．９ｎＦであった。一方、第２の実施の形態では、ソースバス容量等の条件が同じであるにも拘わらず、容量Ｃ１、Ｃ２が３．６ｎＦへと低減している。
【００８８】
以上に、本発明の第１、第２の実施の形態について説明した。これら本実施の形態によれば、プリチャージ回路がプリチャージキャパシタとプリチャージ制御スイッチを備え、ソースドライバの電源を利用してプリチャージキャパシタをチャージし、チャージされたプリチャージキャパシタを使って複数のソースバスをプリチャージする。このようにして、付加的なプリチャージ電源が不要な簡単な構成のプリチャージ回路を有するディスプレイ装置を提供することができる。
【００８９】
また、第２の実施の形態によれば、グランドスイッチが設けられる。グランドスイッチは、プリチャージ制御スイッチがプリチャージキャパシタをプリチャージラインに接続する前にプリチャージラインをそれぞれグランドに接続する。これにより、プリチャージ電圧の精度を向上でき、また、プリチャージキャパシタの容量を小さくもできる。
【００９０】
また、上述の第１および第２の実施の形態は、ディスプレイ装置であった。本発明はディスプレイ装置の態様に限定されない。本発明の別の態様は例えばプロチャージ回路である。また、本発明の別の態様は、上記のディスプレイ装置を有する電子装置である。この電子装置は、携帯電話、パーソナルデジタルアシスタント（ＰＤＡ）、ノートブックパソコン、カーナビゲーション装置、テレビ、デジタルスティルカメラ（ＤＳＣ）及び液晶ディスプレイ装置からなる群より選ばれる電子装置であってよい。
【００９１】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００９２】
本発明にかかるディスプレイ装置は、コンピュータ、携帯端末装置などの薄型ディスプレイ装置として有用である。
【図面の簡単な説明】
【００９３】
【図１】従来のディスプレイ装置を示す図である。
【図２】第１の実施の形態に係るディスプレイ装置を示す図である。
【図３】第１の実施の形態に係るディスプレイ装置の動作を示す図である。
【図４】プリチャージ前のプリチャージ回路を示す図である。
【図５】プリチャージ期間におけるプリチャージ状態のプリチャージ回路を示す図である。
【図６】第２の実施の形態に係るディスプレイ装置を示す図である。
【図７】第２の実施の形態に係るディスプレイ装置の動作を示す図である。
【図８】プリチャージ前のプリチャージ回路を示す図である。
【図９】第１プリチャージ期間におけるソースバス放電時のプリチャージ回路を示す図である。
【図１０】第２プリチャージ期間におけるプリチャージ状態のプリチャージ回路を示す図である。
【符号の説明】
【００９４】
１  ディスプレイ装置
３  ソースバス
５  ソースドライバ
７  プリチャージ回路
９ａ，９ｂ  電源
１１ａ  第１プリチャージライン
１１ｂ  第２プリチャージライン
１３ａ  第１プリチャージキャパシタ
１３ｂ  第２プリチャージキャパシタ
１５ａ  第１プリチャージ制御スイッチ
１５ｂ  第２プリチャージ制御スイッチ
２３ａ  第１グランドスイッチ
２３ｂ  第２グランドスイッチ
【図１】
2008281913.tif 000003
【図２】
2008281913.tif 000004
【図３】
2008281913.tif 000005
【図４】
2008281913.tif 000006
【図５】
2008281913.tif 000007
【図６】
2008281913.tif 000008
【図７】
2008281913.tif 000009
【図８】
2008281913.tif 000010
【図９】
2008281913.tif 000011
【図１０】
2008281913.tif 000012